(57)【要約】【課題】記録裁断装置において、キャリッジのサイズが大きくなる。【解決手段】媒体に対して記録および裁断をする記録裁断装置であって、媒体を搬送方向に搬送する搬送部と、搬送方向に直交する走査方向について、媒体上を走査するキャリッジとを備え、キャリッジは、媒体に対してインクを吐出して記録をする噴射ヘッド、および、媒体を裁断するカッタを有し、キャリッジにおいて、カッタは、走査方向について噴射ヘッドの幅内に配される。【選択図】図１
2007168314.tif 000002
【特許請求の範囲】
【請求項１】
媒体に対して記録および裁断をする記録裁断装置であって、
前記媒体を搬送方向に搬送する搬送部と、
前記搬送方向に直交する走査方向について、前記媒体上を走査するキャリッジと
を備え、
前記キャリッジは、前記媒体に対してインクを吐出して記録をする噴射ヘッド、および、前記媒体を裁断するカッタを有し、
前記キャリッジにおいて、前記カッタは、前記走査方向について前記噴射ヘッドの幅内に配される記録裁断装置。
【請求項２】
前記キャリッジにおいて、前記カッタは、前記噴射ヘッドに対して、前記記録裁断装置の正面から見て奥側に配される請求項１に記載の記録裁断装置。
【請求項３】
前記キャリッジは、前記カッタ、および、前記カッタを把持する昇降回転部を有するカッタ部を備え、
前記キャリッジにおいて、前記カッタ部は、前記走査方向について前記噴射ヘッドの幅内に配される請求項１に記載の記録裁断装置。
【請求項４】
前記噴射ヘッドに対向した位置に配され、打ち捨てられたインクを収容するインク収容部と、
前記カッタに対向した位置に配され、前記媒体を支持する平板状のプラテンと
をさらに備える請求項１に記載の記録裁断装置。
【請求項５】
媒体に対して記録および裁断すべく前記媒体上を走査方向に走査するキャリッジであって、
前記媒体に対してインクを吐出して記録をする噴射ヘッドと、
前記媒体を裁断するカッタと
を備え、
前記キャリッジにおいて、前記カッタは、前記走査方向について前記噴射ヘッドの幅内に配されるキャリッジ。
【発明の詳細な説明】
【技術分野】
【０００１】
本発明は、記録裁断装置およびキャリッジに関する。特に、本発明は、媒体に対して記録および裁断をする記録裁断装置、および、当該記録裁断装置に用いられるキャリッジに関する。
【背景技術】
【０００２】
インクジェットヘッドを設置するキャリッジと、カッティングヘッドを設置するキャリッジとが同一のガイド軸に移動自在に装着された画像作成切抜装置が知られている（例えば、特許文献１参照）。
【特許文献１】特開平７−２５６９６０号公報
【発明の開示】
【発明が解決しようとする課題】
【０００３】
しかしながら、特許文献１に記載の装置は、同一のガイドにインクヘッドのキャリッジとカッティングヘッドのキャリッジとを装着するので、移動方向である走査方向について、キャリッジ全体として、各キャリッジの幅を合算した幅またはそれ以上の幅を有する。よって、キャリッジの走査方向について、キャリッジの大きさ、および、装置全体の大きさが大きくなるという不具合がある。
【課題を解決するための手段】
【０００４】
上記課題を解決するために、本発明の第１の形態においては、媒体に対して記録および裁断をする記録裁断装置であって、媒体を搬送方向に搬送する搬送部と、搬送方向に直交する走査方向について、媒体上を走査するキャリッジとを備え、キャリッジは、媒体に対してインクを吐出して記録をする噴射ヘッド、および、媒体を裁断するカッタを有し、キャリッジにおいて、カッタは、走査方向について噴射ヘッドの幅内に配される。これにより、走査方向についてキャリッジを小型化することができる。また、複数ノズルの走査方向幅外にカッタが配された場合に比べ、複数ノズルの走査方向幅内にカッタが配された場合は、同一形状を裁断するときのキャリッジの走査幅が狭くなるので、記録裁断装置全体の大きさを小さくすることができる。
【０００５】
キャリッジにおいて、カッタは、噴射ヘッドに対して、記録裁断装置の正面から見て奥側に配されてもよい。これにより、使用時においてユーザがカッタに不用意に接触することを防ぐことができる。
【０００６】
キャリッジは、カッタ、および、カッタを把持する昇降回転部を有するカッタ部を備え、キャリッジにおいて、カッタ部は、走査方向について噴射ヘッドの幅内に配されてもよい。これにより、走査方向についてキャリッジをより小型化することができる。
【０００７】
記録裁断装は、さらに、噴射ヘッドに対向した位置に配され、打ち捨てられたインクを収容するインク収容部と、カッタに対向した位置に配され、媒体を支持する平板状のプラテンとを備えてもよい。
【０００８】
上記課題を解決するために、本発明の第２の形態においては、媒体に対して記録および裁断すべく媒体上を走査方向に走査するキャリッジであって、媒体に対してインクを吐出して記録をする噴射ヘッドと、媒体を裁断するカッタとを備え、キャリッジにおいて、カッタは、走査方向について噴射ヘッドの幅内に配される。これにより、第１の実施形態と同様の効果を得ることができる。
【０００９】
なお、上記の発明の概要は、本発明の必要な特徴の全てを列挙したものではなく、これらの特徴群のサブコンビネーションもまた、発明となりうる。
【発明を実施するための最良の形態】
【００１０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１１】
図１は、本発明の実施形態に係る記録裁断装置１０の斜視図を示す。記録裁断装置１０は、装置本体１２と、媒体１００および台紙１０２を載置する給紙部１４と、台紙側ローラ４２とこれに対向して配される媒体側ローラ４４とを有する搬送部４０と、搬送部４０により搬送された媒体１００を保持する台紙１０２を下方から支持するプラテン１８と、プラテン１８の上方に配されたキャリッジ７０と、装置本体１２から排出された媒体１００と台紙１０２を載置する排紙部１６とを備える。
【００１２】
搬送部４０は、給紙部１４とプラテン１８との間に配され、給紙部１４に載置された媒体１００と台紙１０２を搬送する。台紙側ローラ４２は、搬送モータ４６から搬送駆動ベルト４８を介して動力を得て回転駆動される。媒体側ローラ４４は装置本体１２に対して回転自在に支持され、台紙側ローラ４２に連れ回る。すなわち、媒体１００、および、台紙１０２は、台紙側ローラ４２の回転駆動により、台紙側ローラ４２と媒体側ローラ４４に挟まれて給紙部１４からプラテン１８上に搬送される。また、媒体１００、および、台紙１０２は、プラテン１８上に搬送された後に、台紙側ローラ４２の回転駆動により、装置本体１２の奥行き方向（図１に示すＡ方向）に往復移動する。
【００１３】
キャリッジ７０は、その内部に軸受けが形成されており、ガイド軸６０はその軸受けに挿入されている。また、キャリッジ７０は、装置本体１２の幅方向に渡って架け渡されたタイミングベルト５０の一部を把持している。タイミングベルト５０は、キャリッジモータ９０によって回転駆動する。すなわち、キャリッジ７０は、タイミングベルト５０の回転駆動により、装置本体１２の幅方向（図１に示すＢ方向）に往復移動する。
【００１４】
さらに、キャリッジ７０は、媒体１００に対向する面に噴射ヘッド７２、および、カッタ部８２を備える。インク収容部２４は、プラテン１８に形成された溝に配されて、打ち捨てられたインクを収容する。
【００１５】
図２は、キャリッジ７０の概略下面図、および、概略側面図等を示す。図３は、記録裁断装置１０による記憶時のキャリッジ７０の操作方向の移動を模式的に示す。図４は、記録裁断装置１０による裁断時のキャリッジ７０の操作方向の移動を模式的に示す。図５は、他の装置による裁断時のキャリッジ７０の操作方向の移動を模式的に示す。概略下面図（図２（ａ））、および、概略側面図（図２（ｂ））に示すように、カッタ部８２は、カッタ８６と、カッタ８６の根本を把持した昇降回転部８４とを備える。噴射ヘッド７２は、下部にインクを噴射する複数ノズル７４を有する。
【００１６】
カッタ８６は、図２（ｂ）に示すように、装置本体１２の幅方向、つまりキャリッジ７０の走査方向（図２（ａ）に示すＢ方向）について噴射ヘッド７２に配された複数ノズル７４の走査方向の幅内に配される。これにより、走査方向についてキャリッジ７０を小型化することができる。また、複数ノズル７４の走査方向幅外にカッタ８６が配された場合に比べ、複数ノズル７４の走査方向幅内にカッタ８６が配された場合は、同一形状を裁断するときのキャリッジ７０の走査幅が狭くなるので、記録裁断装置１０全体の大きさを小さくすることができる。また、カッタ８６に加えて、図２（ｂ）に示すように、カッタ８６よりもキャリッジ７０の走査方向について幅が広い昇降回転部８４も、キャリッジ７０の走査方向について噴射ヘッド７２に配された複数ノズル７４の走査方向の幅内に配される。つまり、カッタ部８２は、キャリッジ７０の走査方向について噴射ヘッド７２の幅内に配される。これにより、走査方向についてキャリッジ７０をより小型化することができる。
【００１７】
さらに、カッタ８６は、噴射ヘッド７２に対して、記録裁断装置１０の正面から見て奥側に配される。つまり、カッタ８６は、噴射ヘッド７２に対して、媒体１００の搬送方向（図２（ａ）（ｂ）に示すＡ方向）について上流側（図２（ａ）（ｂ）において右側）に配される。これにより、使用時においてユーザが不要に接触することを防ぐことができる。
【００１８】
図２（ｂ）に示すように、プラテン１８は、台紙１０２に当接する面が平板状の平面部２０と、台紙１０２に当接する面が溝状に形成された溝部２２を有する。溝部２２は、溝にインク収容部２４を配する。インク収容部２４は、例えば、多孔性部材であって、スポンジ等であってもよい。これにより、プラテン１８に平面部２０はカッタ８６に対向した位置に配されるとともに、溝部２２および当該溝部２２のインク収容部２４は噴射ヘッド７２に対向した位置に配される。
【００１９】
昇降回転部８４は、非図示の動力発生機構により、平面部２０に近接、または、離間する方向（図２（ｂ）に示すＤ方向）に駆動される。また、昇降回転部８４は、カッタ８６が媒体１００に接触し相対的に移動する方向に従って平面部２０の法線方向を回転軸として自在に回転（図２（ａ）に示すＣ方向に回転）する。
【００２０】
上記構成における記録裁断装置１０は、以下の通りに媒体１００に記録を行う。まず、搬送部４０の台紙側ローラ４２および媒体側ローラ４４が給紙部１４に載置された媒体１００および台紙１０２を挟んで、プラテン１８の上に搬送する。プラテン１８の上に搬送された媒体１００の上をキャリッジ７０が走査しつつノズル７４がインクを吐出することにより、媒体１００の上面に記録を行う。以下、搬送部４０による搬送とキャリッジ７０の走査とを交互に行うことにより、媒体１００の上面全体に記録を行う。
【００２１】
ここで、記録裁断装置１０が媒体１００のキャリッジ７０の走査方向（図３に示すＢ方向）について両端を記録する場合、キャリッジ７０は、媒体１００の左端に複数ノズル７４の右端を対向させる位置まで走査方向に移動することにより、媒体１００の左端に全色のインクを噴射することができる。同様に、キャリッジ７０は、媒体１００の右端に複数ノズル７４の左端を対向させる位置まで走査方向に移動することにより、媒体１００の右端に全色のインクを噴射することができる。すなわち、キャリッジ７０が図３に示す範囲（Ｗ１）を移動することにより、記録裁断装置１０は媒体１００のキャリッジ７０の走査方向について両端を記録することができる。
【００２２】
また、上記構成における記録裁断装置１０は、以下の通りに媒体１００を裁断する。まず、記録時と同様に、まず、搬送部４０の台紙側ローラ４２および媒体側ローラ４４が給紙部１４に載置された媒体１００および台紙１０２を挟んで、プラテン１８の上に搬送する。プラテン１８の上に搬送された媒体１００の上の所定の位置に、昇降回転部８４が上昇した状態でキャリッジ７０が走査し、その後、昇降回転部８４が降下してカッタ８６が媒体１００を刺す。この状態で、さらに搬送部４０が媒体１００を搬送しつつキャリッジ７０が走査することにより、カッタ８６が媒体１００を所望の裁断線に沿って裁断する。
【００２３】
ここで、記録裁断装置１０が媒体１００のキャリッジ７０の走査方向（図４に示すＢ方向）について両端を裁断する場合、キャリッジ７０は、媒体１００の左端にカッタ８６を対向させる位置まで走査方向について移動することにより、媒体１００の左端を裁断することができる。よって、キャリッジ７０は、より左側である媒体１００の左端に複数ノズル７４の右端を対向させる位置まで走査方向について移動すれば、媒体１００の左端を裁断することができる。同様に、キャリッジ７０は、媒体１００の右端に複数ノズル７４の左端を対向させる位置まで走査方向について移動すれば、媒体１００の右端を裁断することができる。すなわち、図４に示すように、キャリッジ７０は、図３に示す範囲（Ｗ１）を移動すれば、記録裁断装置１０は媒体１００のキャリッジ７０の走査方向について両端を裁断することができる。
【００２４】
一方、本実施形態と異なる形態として、キャリッジ７０において、複数ノズル７４の走査方向幅外（例えば左側）にカッタ８６が配された場合、記録裁断装置１０が媒体１００のキャリッジ７０の走査方向（図５に示すＢ方向）について両端を記録および裁断するときは、キャリッジ７０は、媒体１００の左端に複数ノズル７４の右端を対向させる位置まで走査方向について移動することにより、媒体１００の左端に全色のインクを噴射かつ裁断することができる。また、キャリッジ７０は、媒体１００の右端にカッタ８６を対向させる位置まで走査方向について移動することにより、媒体１００の右端に全色のインクを噴射かつ裁断することができる。すなわち、キャリッジ７０は、図３および図４に示す範囲（Ｗ１）よりも広い範囲である図５に示す範囲（Ｗ２）を移動しなければ、記録裁断装置１０は媒体１００のキャリッジ７０の走査方向について両端を記憶および裁断することができない。
【００２５】
すなわち、本実施例によれば、噴射ヘッド７２を備えるキャリッジ７０において、走査方向について噴射ヘッド７２に配された複数ノズル７４の走査方向の幅内にカッタ８６を備えるので、走査方向についてキャリッジ７０を小型化することができる。また、キャリッジ７０を小さくすることができるので、記録裁断装置１０の全体の走査方向の幅を小さくすることができる。さらに、複数ノズル７４の走査方向幅外にカッタ８６が配された場合に比べ、複数ノズル７４の走査方向幅内にカッタ８６が配された場合は、同一形状を裁断するときのキャリッジ７０の走査幅が狭くなるので、記録裁断装置１０全体の大きさを小さくすることができる。
【００２６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００２７】
【図１】本発明の実施形態に係る記録裁断装置１０の斜視図を示す。
【図２】キャリッジ７０の概略下面図、および、概略側面図等を示す。
【図３】記録裁断装置１０による記憶時のキャリッジ７０の操作方向の移動を模式的に示す。
【図４】記録裁断装置１０による裁断時のキャリッジ７０の操作方向の移動を模式的に示す。
【図５】他の装置による裁断時のキャリッジ７０の操作方向の移動を模式的に示す。
【符号の説明】
【００２８】
１０  記録裁断装置、１２  装置本体、１４  給紙部、１６  排紙部、１８  プラテン、２０  平面部、２２  溝部、２４  インク収容部、４０  搬送部、４２  台紙側ローラ、４４  媒体側ローラ、４６  搬送モータ、４８  搬送駆動ベルト、５０  タイミングベルト、６０  ガイド軸、７０  キャリッジ、７２  噴射ヘッド、７４  ノズル、８２  カッタ部、８４  昇降回転部、８６  カッタ、９０  キャリッジモータ、１００  媒体、１０２  台紙
【図１】
2007168314.tif 000003
【図２】
2007168314.tif 000004
【図３】
2007168314.tif 000005
【図４】
2007168314.tif 000006
【図５】
2007168314.tif 000007